(57)【特許請求の範囲】
【請求項１】
２つ折り紙片の多数枚を交互に折り曲げ方向を向き合わせにして互いの片半片部分同士を噛み合わせ状に重ね合わせて紙片相互を連結させながら積層させた紙片束に対して包装巻シートを巻き回して結束する一方、該包装巻シートには前記紙片束の上下いずれかの面に対面する一面に外方に突出する摘み片を設けると共に、該巻き回した包装巻シートの長さのいずれかの位置に前記摘み片の引っ張りによる緊張力によって破断される脆弱切断部を形成してなり、
前記摘み片は、その少なくとも一部が前記包装巻シートに接着して形成されており、前記包装巻シートには前記摘み片が接着する部分に透孔が開設されていると共に、前記摘み片は前記透孔を通して紙片束の最端部の紙片に接着していることを特徴とした紙片束の包装体。
【請求項２】
前記摘み片となる小片には接合する一部の背面部に接着剤を塗布する一方、前記紙片束に巻き回す前記包装巻シートには該紙片束の上又は下面に対面する一面に透孔を開設し、前記摘み片となる小片の一部背面部に塗布する接着剤を介して上記一面に接着すると同時に前記透孔を通して紙片の片半片部分に接着し、前記摘み片となる小片を前記包装巻シート及び最端部に位置する紙片に接合することを特徴とした請求項１に記載の紙片束の包装体。
【請求項３】
包装巻シートは紙片束を構成する紙片の幅員と等しい幅員を有することを特徴とした請求項１又は２に記載の紙片束の包装体。
【請求項４】
包装巻シートは紙片束を構成する紙片の幅員より狭い幅員を有することを特徴とした請求項１又は２に記載の紙片束の包装体。
【請求項５】
包装巻シートは合成樹脂フィルムであることを特徴とした請求項１乃至４のいずれかに記載の紙片束の包装体。
【請求項６】
包装巻シートはシュリンクフィルムであることを特徴とした請求項１乃至４のいずれかに記載の紙片束の包装体。
【請求項７】
摘み片は小片にして紙片束に巻き回した包装巻シートの表面に一部を接合し、他の一部を起立させることによって形成することを特徴とした請求項１乃至６のいずれかに記載の紙片束の包装体。
【請求項８】
脆弱切断部は包装巻シートを横断するミシン線によって形成されることを特徴とした請求項１乃至７のいずれかに記載の紙片束の包装体。
【請求項９】
脆弱切断部は包装巻シートを横断する所要間隔を置いて並行状に配置される複数条のミシン線によって形成されることを特徴とした請求項１乃至７のいずれかに記載の紙片束の包装体。
【請求項１０】
ミシン線は切断部及び非切断部のそれぞれが一定の長さで連続することを特徴とした請求項８又は９に記載の紙片束の包装体。
【請求項１１】
ミシン線は切断部及び非切断部のそれぞれが不規則の長さで連続することを特徴とした請求項８又は９に記載の紙片束の包装体。
【発明の詳細な説明】
【技術分野】
【０００１】
本発明は、紙片束を包装する包装体に関する。
【背景技術】
【０００２】
従来から、２つ折りの紙片の多数枚を交互に折り曲げ方向を向き合わせにして互いの片半片部分同士を噛み合わせに重ね合わせて紙片相互を連結させながら積層させた紙片束（以下、紙片束という）がある。このような紙片束として例えばティッシュペーパー、ペーパータオル、コールドペーパー等がその例として挙げられる。
ここでコールドペーパーを例にしてさらに言えば、このペーパーは広く知られるように、美容院等でパーマネントを施すときに毛先をまとめるために用いられており、一度の作業でに多量に使用するため、容器に入れて使用し、無くなったら再度補充しながら使用するのが一般的である。
上述したコールドペーパー等の補充型の紙片束は、多数枚の紙片があらかじめ積層され一纏めになっているが、この積層状態を維持するために保管時には何らかの方法で結束しておかなければならない。またそのためこの紙片束を容器に収納する際にはこの結束を解除しなければならないが、この作業の際中にコールドペーパーの一枚一枚が極めて軽量であって掴みにくいことから紙片束がばらけてしまうといった問題がある。
【０００３】
図１５は上記した従来の取扱いを説明したものである。紙片束１００は、容器１２０に補充する前においては、紙やフィルム等からなる包装巻シート１１０によってバラバラにならないように束ねられており、この状態から容器１２０に収納するときには、包装巻シート１１０を鋏等で切断し除去した状態で、指先でこの紙片束１００を摘み、容器１２０に収納するようにしている。このとき狭い容器に入れるため作業がし難く誤ってバラバラになってしまったり、また蓋１２１を閉めるときにバラバラになってしまって適切に作業が行えないことがしばしば起こる。このとき、容器１２０に収納した紙片束を容器１２０の取出口から取り出しやすくするため、バネを有する押し上げ板１２２が備えられているものにおいては、バネ力に抗して紙片束を押し込まなければならないことになり、弾かれてバラバラになる危険が高く、一層作業が厄介になる。
【０００４】
また、このように容器に収納された紙片は、使用に当って紙片の一部が容器の取出口から露出していなければ取り出すことができないため、容器に収納する際に同時に紙片を取り出すための糸口とする最上層の紙片を指で取出口から引き出しておかなければならない。
【発明の開示】
【発明が解決しようとする課題】
【０００５】
上述したように従来の包装巻シートは、紙片束を結束することができるものの、鋏で切断するなどして紙片束から除去するため、作業が面倒であるとともに作業中に手が滑って紙片束を落としてしまうことがある。また容器に収納するときに容器の底に接するまで積層状態を保ったまま収納するのは困難である。
また、紙片を容器に収納しただけでは最上層の紙片は取り出しやすく容器の取出口から突出した状態とはならないため、容器の取出口に指等を入れて紙片を摘みだしたり、容器への収納時またはその後に紙片の上片を指で持上げながら蓋を閉めて上片を突出させた状態にする等の手間がかかってしまうといった不具合がある。
【０００６】
本発明は、このような点に鑑み、しっかりと安定的に紙片束を結束して保管することができ、しかも容器に収納した後で簡単に包装巻シートを除去することができる紙片束の包装体を提供するものである。
また本発明は、包装した紙片束を、取出口を設けた容器に収納する際には、容器に収納した状態のまま包装巻シートを除去することに併せて容器の取出口から包装巻シートと共に最上層の紙片の上片部分を引き出し取り出すことができる紙片束の包装体を提供するものである。
【課題を解決するための手段】
【０００７】
上記目的を達成するため本発明は、２つ折り紙片の多数枚を交互に折り曲げ方向を向き合わせにして互いの片半片部分同士を噛み合わせ状に重ね合わせて紙片相互を連結させながら積層させた紙片束に対して包装巻シートを巻き回して結束する一方、該包装巻シートには前記紙片束の上下いずれかの面に対面する一面に外方に突出する摘み片を設けると共に、該巻き回した包装巻シートの長さのいずれかの位置に前記摘み片の引っ張りによる緊張力によって破断される脆弱切断部を形成してなることを特徴とした紙片束の包装体を提供するものである。
【０００８】
この発明によれば、紙片束に包装巻シートを巻き回して束ねることにより紙片束をしっかりと安定的に結束してばらけさせることなく保管できる。また、結束してあることから、紙片束を移動させるときに積層状態を保ったまま移動させることができる。また包装巻シートには引っ張りによる緊張力によって破断される脆弱切断部が形成されているため、鋏等を使用することなく簡単に紙片束から包装巻きシートを除去することができる。
【０００９】
また、本発明は、包装巻シートは紙片束を構成する紙片の幅員と等しい幅員を有することを特徴とした紙片束の包装体を提供するものである。
【００１０】
この発明によれば、包装巻シートの幅員を紙片の幅員と等しくすることにより、より安定的に紙片束を結束することができるとともに、紙片束の表面全体を覆うため紙片束を汚すことがない。
【００１１】
また、本発明は、包装巻シートは紙片束を構成する紙片の幅員より狭い幅員を有することを特徴とした紙片束の包装体を提供するものである。
【００１２】
この発明によれば、包装巻シートの幅員を紙片の幅員より狭くすることにより、必要とする包装巻シートが少なくなりコスト削減が図れるとともに、摘み片を引張ったときに脆弱切断部への緊張力が集中し、少ない引張りで容易に脆弱切断部を破断することができる。
【００１３】
また、本発明は、包装巻シートは合成樹脂フィルムであることを特徴とした紙片束の包装体を提供するものである。
【００１４】
この発明によれば、包装巻シートを合成樹脂フィルムで構成したことにより、紙等に比べて丈夫で切れにくく、且つ、脆弱切断部に力を加えれば容易に破断することができる。
【００１５】
また、本発明は、包装巻シートはシュリンクフィルムであることを特徴とした紙片束の包装体を提供するものである。
【００１６】
この発明によれば、包装巻シートをシュリンクフィルムで構成したことにより、包装巻シートを紙片束に巻きつけてから収縮させて紙片束に密着した状態で安定的に結束することができる。
【００１７】
また、本発明は、摘み片は紙片束に巻き回す包装巻シートの一部を余剰部として外方に引き出し、該引き出し部分を接合して形成することを特徴とした紙片束の包装体を提供するものである。
【００１８】
この発明によれば、包装巻シートの一部で摘み片を形成することにより、結束作業と同時に摘み片を形成することができる。
【００１９】
また、本発明は、摘み片は小片にして紙片束に巻き回した包装巻シートの表面に一部を接合し、他の一部を起立させることによって形成することを特徴とした紙片束の包装体を提供するものである。
【００２０】
この発明によれば、摘み片を小片から形成することから、任意の形状あるいは所要の強度を有する摘み片を簡単に形成することができる。さらに包装巻シートで紙片束を結束してから後付けで摘み片を取り付けることができる。
【００２１】
また、本発明は、小片には接合する一部の背面部に接着剤を塗布する一方、紙片束に巻き回す包装巻シートに紙片束の上又は下面に対面する一面に透孔を開設し、前記小片の一部背面部に塗布する接着剤を介して上記一面に接着すると同時に前記透孔を通して臨む紙片の片半片部分に接着し、前記小片を前記包装巻シート及び最端部に位置する紙片に接合することを特徴とした紙片束の包装体を提供するものである。
【００２２】
この発明によれば、接着剤によって摘み片となる小片と紙片とが接着されることから、小片を引張って脆弱切断部を破断し除去するときに、小片の引張りと共に紙片の片半片部分が持上げられて取り出しの糸口を作ることになる。
【００２３】
また、本発明は、脆弱切断部は包装巻シートを横断するミシン線によって形成されることを特徴とした紙片束の包装体を提供するものである。
【００２４】
この発明によれば、脆弱切断部を包装巻シートを横断するミシン線によって形成することにより、脆弱切断部を容易に形成することができる。
【００２５】
また、本発明は、脆弱切断部は包装巻シートを横断する所要間隔を置いて並行状に配置される複数条のミシン線によって形成されることを特徴とした紙片束の包装体を提供するものである。
【００２６】
この発明によれば、脆弱切断部を複数のミシン線によって形成することによって引っ張りに対する切断の許容範囲を広げ、落下等による衝撃では破断せずに、実際の作業時に摘み片を引張ったときには適切に破断するといった調整が容易になる。
【００２７】
また、本発明は、ミシン線は切断部及び非切断部のそれぞれが一定の長さで連続することを特徴とした紙片束の包装体を提供するものである。
【００２８】
この発明によれば、ミシン線の切断部及び非切断部を一定の長さで連続させることによりミシン線に緊張力が与えられたときに抵抗力が同時に働くので不用意な破壊を免れやすい。
【００２９】
また、本発明は、ミシン線は切断部及び非切断部のそれぞれが不規則の長さで連続することを特徴とした紙片束の包装体を提供するものである。
【発明の効果】
【００３０】
したがって、上記説明から、本発明の包装体によれば、しっかりと安定的に紙片束を結束して保管することができる。また、摘み片を引っ張るだけで包装巻シートの脆弱切断部を破断することができることから、容易に紙片束から包装巻シートを除去することができる。
さらに言えば、本発明の包装体を、取出口を設けた容器に収納し使用する場合には、摘み片を取出口から突出させることができるので、容器に収納した状態のまま摘み片を引張ることで包装巻シートを除去することができる。また、摘み片と紙片の片半片部分が接着されている場合には、包装巻シートの除去に併せて容器の取出口から紙片の片半片部分が突出し、紙片を取り出し易くすることができる。
【発明を実施するための最良の形態】
【００３１】
添付する図面は本発明の実施の形態を示したもので、図１〜図５は第１の実施例を示す。
【実施例１】
【００３２】
図１は本発明に係る包装体の斜視図、図２は本発明に係る包装体の平面図、図３は図２のＡ−Ａ線拡大断面図、図４は本発明に係る包装体の底面図である。図中の符号１は本発明の包装体、２は包装体の中身となる積層された多数枚の紙片からなる紙片束、３は包装巻シート、４は摘み片、７は脆弱切断部である。
【００３３】
包装体１は、紙片束２に巻きつける包装巻シート３と、包装巻シート３から外方に突出するように取り付けられた摘み片４から構成される。
【００３４】
包装体１によって包装される紙片束２は、図３に示すように、２つ折りの紙片５を多数枚を重ねたものであり、紙片５同士の折り曲げ方向を向かい合わせにして互いの片半片部分（一方の片である上片５ａ、または他方の片である下片５ｂ）同士を噛み合わせ状に重ね合わせて紙片５相互を連結させながら積層させたものである。つまり、紙片５の上片５ａと下片５ｂの間に上又は下になる他の紙片の上片５ａ乃至下片５ｂを挟み込むことによって折り重ねられているもので、この紙片束２の最上層の紙片５を持上げると、それに伴ない２枚目の紙片５の上片５ａが持上げられ、この様にして第３枚目、第４枚目と繋がって持上げられることになる。
【００３５】
包装巻シート３は、紙片束２と略々等しい幅員で紙片束２に巻きつけて束ねるものとなっており、本実施例においてはシュリンクフィルムを紙片束２に巻きつけたのち加熱して収縮させることにより紙片束２をしっかり結束する。
そして、上記包装巻シート３の上面９には上方に向って突出するように摘み片４が接着されている。
【００３６】
摘み片４は、幅員を前記包装巻シート３の幅に合わせた紙製小片を素材にこれを２つ折りにしたもので、ここではその一片の貼着部４ａを包装巻シート３の上面８に接着し、他片を使用時に摘むために起立させる摘み部４ｂとして構成している。
貼着部４ａには裏面に粘着剤１０を塗布したシールで構成して、包装巻シート３の上面９に粘着すると同時に、この包装巻シート３の上面９に開設する透孔９ａを通して最上層の紙片５の上片５ａに粘着するようにし、この紙片５と摘み片４とが連結するようにしてある。
【００３７】
この摘み片４は、少なくとも後述する脆弱切断部７を破断するときにちぎれない程度の強度が求められる。また一方、粘着剤１０は、少なくとも脆弱切断部７を破断するときに包装巻シート３から剥がれない程度の粘着力が求められることになる。
なお、本実施例においては、摘み片４の幅員を包装巻シート３の幅員と同等にして形成してあるが、これに限られず、包装巻シート３の幅員よりも狭いものであってもよい。
【００３８】
図４に示すように、包装巻シート３の底面６の略々中央には底面６を横断する脆弱切断部７を形成するミシン線８が直線状に形成されている。
ここでは、上記ミシン線８の切断部８ａの長さは非切断部８ｂの長さよりも長く形成してある。なお、非切断部８ｂの長さ、つまり接続している部分の長さは、落下する等の衝撃や、摘み片４を摘んで持上げた程度の力で破断しない程の長さを選択することになる。
【００３９】
次に、包装体１の使用について説明する。
図１３は、本実施例の包装体１を容器１１に収納する途中を示す図であり、図１４は、容器に収めた包装体１を示す図である。
図示するように、紙片束２は容器１０に収納した状態で使用することになる。この容器１１は、左右にヒンジ部１１ａを介して開放される蓋１１ｂ，１１ｂを有し、蓋１１ｂ，１１ｂを閉塞すると、両者の自由端の間に紙片５の取出口となる空隙部が形成され、これが開口部１０ｃを形成する。
また、容器１１の内部には、図示しないが、バネによって常時押し上げ付勢される押し上げ板が備えられ、内部に収納された紙片束２は順次紙片が引き出されるのに従って、上記押し上げ板の上昇によって紙片束２を押し上げることになっている。
【００４０】
容器１１に対する包装体１の収納は、包装巻シート３で巻いた紙片束２をそのままの状態で容器１１の開口部から入れることになる。そして蓋１１ｂ，１１ｂを閉じることになる。このとき、摘み片４を起立した状態にして蓋１１ｂ，１１ｂの召し合わせによって形成される開口部１１ｃを通して容器１１の外に向って突き出させるのである。
【００４１】
上記容器１１に収納した包装体１から包装巻シート３を除去するには、図１４に示すように、蓋１１ｂを指で押さえて開放しないようにして、開口部１１ｃから突出した摘み片４を他方の手の指で摘み上げることによって行うことになる。この様にすると、蓋１１ｂ，１１ｂで紙片束２が押さえられて包装巻シート３だけが引き出されることになるため緊張することになり、この緊張力が脆弱切断部７に伝播してミシン線８の切断部８ａが広がり、これに伴って非切断部８ｂが次第に破断されていくことになる。そして全ての非切断部８ｂが破断されると、包装巻シート３は底面６で分断されることになり、摘み片４に引きずられるようにして、開口部１１ｃから容器１１の外に取り出されることになる。
このとき、摘み片４には、最上層の紙片５の上片５ａが接着されていることから、包装巻シート３が取り出されるのに併せて、この紙片５も開口部１１ｃから引き出されることになる。紙片束２は、前述したように積層する紙片５相互が噛み合わせに重ね合わされて連結する状態となっていることから、最上層の紙片５が引き出されるのに伴って次に２番目の紙片５の上片５ａが開口部１１ｃから突出することになり、順次紙片５の取出しが可能な状態になる。
【００４２】
以上の説明から明らかなように、本発明の包装体１は、未使用時には紙片束２が包装体巻シート３によって巻き回されていることから、しっかりと安定して結束され保管することができる。使用に当って容器に収める場合には、紙片束２を包装巻シート３で結束したまま持ち運ぶことができると共に、容器にはそのままの状態で収容することができ、更に収容したまま摘み片４を引っ張るだけで上記包装巻シート３の脆弱切断部７を破断することによって包装巻シート３を取り除き、容器の中に紙片束２を積層させたまま残すことができる。
【００４３】
つまり、包装体１を容器１１に収めたとき、摘み片４が包装巻シート３の上方に突出した状態にあることから、容器１１に収納した場合には、摘み片４を開口部１１ｃから突出させることができる。このため、容器１１に収納した状態のままで摘み片４を外部から引張って包装巻シート３を紙片束２から除去することができるのである。また、摘み片４と最上層の紙片５の上片５ａが接着されていることから、包装巻シート３の除去に併せて最上層の紙片５を取り出すことができ、次の引き出しに備えることができるのである。
【００４４】
ところで、本実施例においては、脆弱切断部を形成するミシン線８を包装巻シート３の底面６の略々中央には底面６を横断するように形成する例を示したが、これに限られず、例えば図６に示すようにミシン線１２を包装巻シート３の側面に形成してもよい。
この脆弱切断部は、紙片束２に巻き回した包装巻シート３の一部を破断して容器１１内から抜き取るためのものであることから包装巻シート３の適所に複数箇所設けても良く、いずれかにおいて破断することによって容器から引き抜くことができる。尚、脆弱切断部を複数箇所とする場合、例えば包装巻シート３の両側面に設けたり、或いは底面６に形成する脆弱切断部に加えて側面に形成してもよく、さらには摘み部の一側部に沿って形成するようにしてもよい。
【実施例２】
【００４５】
次に、本発明の第２の実施例を図７に従って説明する。
実施例１においては、包装巻シート３の幅員を紙片束２の幅員と略々等しく形成した例を示したが、ここでは、包装巻シート１３の幅員を紙片束２の幅員よりも狭く形成し、更に脆弱切断部を形成するミシン線１４を摘み片１５の近傍に設けた例を示す。
このように形成することにより、容器１１に収納した包装体１から包装巻シートを除去するために摘み片１５を引いたときの緊張力が直接的にミシン線１２にかかることからミシン線１２の破断を容易に行うことができる。
【実施例３】
【００４６】
次に、本発明の第３の実施例について図８に従って説明する。なお、ここでは紙片束を省略し、包装巻シートの形状を中心に図示している。
本実施例においては、摘み片１６を包装巻シート１７の一部を余剰部として上方に引き出して接合することによって形成している。言い換えると、包装巻シート１７の一部を弛ませて熱圧着により接合して形成しているのである。
本実施例では、包装巻シート１７の一部で摘み片１６を形成することにより他部材つまり、小片を利用することがなくコスト削減を図ることができる。
また、小片を摘み片として取り付ける場合と異なり、包装巻シートによる紙片束２の結束作業と同時に摘み片１６を形成することができる。
なお、本実施例のように摘み片１６を包装巻シート１７の一部で形成した場合には、前述の各実施例とは異なり包装巻シートの内面１７ａを紙片束２の最上層の紙片５の上片５ａに直接接着して、紙片５の引き出しに備えることになる。
【実施例４】
【００４７】
次に本発明の第４の実施例を図９、図１０に従って説明する。この実施例は脆弱切断部の他の例を示す実施例で、図９は包装体の底面図であり、図１０は包装体の破断の途中を説明する底面図である。
実施例１から３においては、脆弱切断部を１本の直線状のミシン線として形成したが、本実施例においては、脆弱切断部１８を並行に配置される２本の直線状のミシン線１９，１９として形成している。このミシン線１９，１９の各切断部１９ａと非切断部１９ｂのそれぞれは一定の長さで連続している。また、一方のミシン線１９の切断部１９ａと他方のミシン線１９の非切断部１９ｂは対向する位置に設けられるように千鳥に配置されている。
【００４８】
図１０に示すように、対向する切断部１９ａ間の帯状部分２７が切断部１９ａ同士の広がる広がりに従って変形し、この変形を通して最終的に切断に移行することから、やわらかい感触の切断を実現することができる。
また、切断部１９ａ及び非切断部１９ｂをそれぞれ一定の長さで連続させたことによって各ミシン線１９の切断部１９ａ及び非切断部１９ｂの設計を容易に行うことができる。
【実施例５】
【００４９】
次に本発明の第５の実施例について説明する。図１１は包装体の底面図である。
本実施例においては、底面６並行して設ける２条のミシン線２１，２１の切断部２１ａを不規則の長さで連続させて脆弱切断部２０を形成している。
このように並行するミシン線２１，２１を形成し、両者間に帯状部分２８を形成したことにより引張り力を受けたとき、この帯状部分２８が蛇行状に変形しながら最終的に切断することになる結果、それぞれの非切断部２１ｂが時間差を置いて破断され、順次破断が円滑に進行する。
そして、この形態ではミシン線２１，２１の全域に亘って同時進行的に切断が行われることになり、脆弱切断部２０が同時に切り離されることになる。
【実施例６】
【００５０】
次に本発明の第６の実施例について説明する。図１２は包装体の底面図である。
本実施例は、ミシン線２６の切断部２６ａの中央部に微小な接合部２６ｃを形成して脆弱切断部２５を形成した例である。
このようにミシン線２６を構成したことにより、摘み片４を引張って包装巻シート３に緊張力を与えると、はじめに短い接合部２６ｃが破断されて、次に帯状部分２９が蛇行状態に変形しながら切断することになるのでさらに軟らかい感触の切断を実現することができる。このため、落下等による衝撃では非接断部２６ｂは破断せずに接合部２６ｃが破断し、衝撃を緩和する。
【００５１】
なお、上記各実施例においては、各図の上部に摘み片を設け、上部に開口部を有する容器に収納して使用する例を説明したが、本発明の包装体はこれに限られず、例えば壁掛けの容器に収納して下から引き出すようにして使用するペーパータオル等に適用してもよい。
【図面の簡単な説明】
【００５２】
【図１】実施例１の包装体の斜視図である。
【図２】実施例１の包装体の平面図である。
【図３】図２のＡ−Ａ線拡大断面図である。
【図４】実施例１の包装体の底面図である。
【図５】実施例１の包装体の破断途中を説明する底面図である。
【図６】実施例１の包装体の斜視図である。
【図７】実施例２の包装体の斜視図である。
【図８】実施例３の包装体の斜視図である。
【図９】実施例４の包装体の底面図である。
【図１０】実施例４の包装体の破断途中を説明する底面図である。
【図１１】実施例５の包装体の底面図である。
【図１２】実施例６の包装体の底面図である。
【図１３】本発明の包装体を容器に収納する途中を示す説明斜視図である。
【図１４】本発明の包装体を容器に収めたのち、摘み片の引き出しによって包装巻シートを抜き取る準備を説明した斜視図である。
【図１５】従来の包装体の取扱いを説明する斜視図である。
【符号の説明】
【００５３】
１      包装体
２      紙片束
３      包装巻シート
４      摘み片
４ａ    貼着部
４ｂ    摘み部
５      紙片    
５ａ    紙片の上片  
５ｂ    紙片の下片
６      包装体の底面
７      脆弱切断部  
８      ミシン線
８ａ    切断部  
８ｂ    非切断部
９      上面
９ａ    透孔
１０    粘着剤
１１    容器
１１ａ  ヒンジ部
１１ｂ  蓋
１１ｃ  開口部
１２    ミシン線
１３    包装巻シート
１４    ミシン線
１５    摘み片
１６    摘み片
１７    包装巻シート
１８    脆弱切断部
１９    ミシン線
１９ａ  切断部
１９ｂ  非切断部
２０    脆弱切断部
２１    ミシン線
２１ａ  切断部
２１ｂ  非切断部
２５    脆弱切断部
２６    ミシン線
２６ａ  切断部
２６ｂ  非切断部
２６ｃ  接合部
２７    帯状部分
２８    帯状部分
２９    帯状部分
１００  紙片束
１１０  包装巻シート
１２０  容器
１２１  蓋
１２２  押し上げ板
【図１】
0005143575.tif 000002
【図２】
0005143575.tif 000003
【図３】
0005143575.tif 000004
【図４】
0005143575.tif 000005
【図５】
0005143575.tif 000006
【図６】
0005143575.tif 000007
【図７】
0005143575.tif 000008
【図８】
0005143575.tif 000009
【図９】
0005143575.tif 000010
【図１０】
0005143575.tif 000011
【図１１】
0005143575.tif 000012
【図１２】
0005143575.tif 000013
【図１３】
0005143575.tif 000014
【図１４】
0005143575.tif 000015
【図１５】
0005143575.tif 000016